(57)【要約】【課題】  寸法の大きいワ−クがワ−クテ−ブル上で位置ずれするのを防止できる複数の電磁チャックの並列方法。【解決手段】    工作機械のワ−クテ−ブル４に予め設けた複数の雌ネジ孔４１を利用して角型電磁チャック２の複数をそれらの底部フランジ２２が存在する角型電磁チャック２の長手方向側が前記ワ−クテ−ブル４上の前後方向になるように並列させ、前記雌ネジ孔に締付雄ネジボルトをネジ込み、前記締付雄ネジボルトに固定金具４０を螺合し、角型電磁チャックのフランジを固定金具４０で押圧してワ−クテ−ブル上に角型電磁チャック２，２，２を並列固定する。【選択図】  図２
2006062029.tif 000002
【特許請求の範囲】
【請求項１】
ワ−クテ−ブルに予め設けた複数の雌ネジ孔を利用して角型電磁チャックの複数をそれらの底部フランジがある長手方向側が前記ワ−クテ−ブル上の前後方向になるように並列させ、前記雌ネジ孔に締付雄ネジボルトをネジ込み、前記締付雄ネジボルトに固定金具を螺合し、角型電磁チャックのフランジを固定金具で押圧してワ−クテ−ブル上に角型電磁チャックを並列固定することを特徴とする、角型電磁チャックのワ−クテ−ブル上へ並列設置する方法。
【発明の詳細な説明】
【技術分野】
【０００１】
本発明は、平面研削装置の作業テ−ブル上へ複数の角型電磁チャックを固定する方法に関する。
【背景技術】
【０００２】
角型電磁チャックは、主に平面研削装置、フライス盤においてワ−クの固定保持に使用される。図４に示すように角型電磁チャック２は、長手方向側の両側壁底部の左右にフランジ（出っ張り）２２を有する鉄鋼製長尺状函体（本体フレ−ム）２１内に正負の異極を発生する起磁源（電源２３、コイル２４および鉄心２５）を内蔵し、長尺状函体２１上にＵ字状の真鍮製セパレ−タ２６を介して異なる磁極２７，２８を角型電磁チャックの短矩側に並列させた面板２０を載せたものである（例えば、非特許文献１および特許文献１参照。）。
【０００３】
この角型電磁チャック２は、例えば、平面研削装置の逆Ｔ溝を３本有する左右移動可能なワ−クテ−ブル上にＴ溝ボルトとナットとＬ型楔を用い、角型電磁チャックの長手方向をワ−クテ−ブルの左右方向に向けて指定された位置に固定され、金属製ワ−クを磁力によりこの角型電磁チャック上に固定する（例えば、特許文献２参照。）。
【０００４】
図３に示す平面研削装置１において、３は砥石車、４は左右方向に往復移動可能なワ−クテ−ブル、５は作業台部、６はベッド、７は前後方向に往復移動可能なサドル、８は操作盤、９はコラム、１０は砥石頭、１１は研削液供給ノズル、１２は砥石保護カバ−である。角型電磁チャック２は、ワ−クテ−ブル４上に固定される。
【非特許文献１】ＪＩＳ  Ｂ  ６１５６−１９７８
【特許文献１】特開平１１−３０９６４０号公報
【特許文献２】特開２０００−３１７８２９号公報
【発明の開示】
【発明が解決しようとする課題】
【０００５】
平面研削装置１で研削加工されるワ−クは、鉄鋼のように磁性のものもセラミックやアルミニウムのように非磁性のものもあり、非磁性のワ−クは別の治具を用いてワ−クテ−ブル４上に固定される。それ故、角型電磁チャックは作業者が持ち運び可能な大きさ、重量であることが多い。
【０００６】
研削加工されるワ−ク寸法が大きい場合、あるいは、ワ−クの長さが角型電磁チャック２の長さより長い場合、あるいは、同型の小さなワ−クを左右移動可能なワ−クテ−ブル４上に複数固定して研削加工する際、複数の角型電磁チャックをワ−クテ−ブル４上に並べて使用することがある。ワ−クテ−ブル４の逆Ｔ溝を利用して角型電磁チャックの長手方向をワ−クテ−ブルの長手方向に平行にして角型電磁チャックを固定具で固定した場合、角型電磁チャックの底部フランジ２２の存在により並列された角型電磁チャックの平板間に隙間（約２２〜４５ｍｍ）が生じ、この隙間部分では金属製ワ−クに磁力が作用しない。それ故、この隙間部分上にあるワ−クが浮き上がって寸法精度の悪い研削加工ワ−クとなる。また、左右移動可能なワ−クテ−ブル４の左右移動速度が高速である場合、ワ−クテ−ブルの反転時に金属製ワ−クが角型電磁チャック上より放り出されたり、ワ−クに位置ずれが生じたりすることがあり、ワ−クテ−ブル４の左右移動速度を低速または中速にして研削加工する必要があり、研削装置１のワ−クテ−ブル４の高速反転機能を十分に発揮させることができない。特に、ワ−クテ−ブル４の駆動力にリニアモ−タを用いて高速化を図った場合、研削機械の機能は十分に活かされない。本発明は、ワ−クテ−ブル４の左右移動速度が高速である場合でもワ−クのずれや飛び出しを防止できるとともに、加工精度のよいワ−クを与えることが可能な角型電磁チャックの複数の並列方法を提供するものである。
【課題を解決するための手段】
【０００７】
請求項１の発明は、ワ−クテ−ブルに予め設けた複数の雌ネジ孔を利用して角型電磁チャックの複数をそれらの底部フランジがある長手方向側が前記ワ−クテ−ブル上の前後方向になるように並列させ、前記雌ネジ孔に締付雄ネジボルトをネジ込み、前記締付雄ネジボルトに固定金具を螺合し、角型電磁チャックのフランジを固定金具で押圧してワ−クテ−ブル上に角型電磁チャックを並列固定することを特徴とする、角型電磁チャックのワ−クテ−ブル上へ並列設置する方法を提供するものである。
【発明の効果】
【０００８】
角型電磁チャックの複数をその短矩側がワ−クテ−ブルの左右方向に向けてワ−クテ−ブル上に並列固定されるので、各々の角型電磁チャック間には隙間がない、あるいは、隙間が生じてもせいぜい１〜２ｍｍ（底部フランジの約４５ｍｍの隙間は生じない）であるので、ワ−クテ−ブル上に並列に設置された複数の角型電磁チャックを介して磁力固定されたワ−クを機械加工する際、ワ−クテ−ブルを高速反転させてもワ−クがワ−クテ−ブル上で位置ずれを生じることはない。
【発明を実施するための最良の形態】
【０００９】
以下、図を用いて本発明をさらに詳細に説明する。
図１はワ−クテ−ブルおよび固定金具の斜視図、および、図２は角型電磁チャックの複数をワ−クテ−ブル上に並列に設置した状態を示す斜視図である。
【００１０】
図１において、ワ−クテ−ブル４のベ−スには締付雄ネジボルト３１をネジ込む複数の雌ネジ孔４１が予め設けられている。ワ−クテ−ブル４のベ−スの前後には少なくとも２列に亘って雌ネジ孔４１が複数設けられ、更に、必要によりワ−クを固定するために用いる雌ネジ孔４１ａも設けられることもある。
【００１１】
角型電磁チャックを固定する治具４０は、前記雌ネジ孔４１にネジ込み可能な締付雄ネジボルト４２、および固定金具よりなる。固定金具は、ボルト孔４３ａのあるＬ字型固定プレ−ト４３および締付ナット４４と構成されるか、または、角型電磁チャック２のフランジ２２部に取付孔２２ａが設けられている場合はＬ字型固定プレ−ト４３および締付ナット４４と構成されるか若しくは締付ナット４４単独よりなる。
【００１２】
図２に示すように、複数の角型電磁チャック２，２，２は、それらの底部フランジ２２が存在する角型電磁チャック長手方向側がワ−クテ−ブル４上の前後方向（Ｚ軸方向）になるように並列され、レンチにより前記締付雄ネジボルト４２を回動して前記雌ネジ孔４１にネジ込んだ後、ボルト孔のあるＬ字型固定プレ−ト４３を前記締付雄ネジボルト４２に嵌挿し、ついで、前記締付雄ネジボルトの上方側より締付ナット４４をスパナまたはレンチで螺合させてＬ字型固定プレ−ト４３を上方より押圧することにより角型電磁チャック２のフランジ２２をＬ字型固定プレ−ト４３で固定することによりワ−クテ−ブル４上に角型電磁チャック２を複数並列設置させる。角型電磁チャック２のフランジ２２に取付孔２２ａが設けられている場合は、前記締付雄ネジボルト４２をフランジ２２の取付孔２２ａを経由して前記雌ネジ孔４１に前記締付雄ネジボルト４２をレンチにより回動させてネジ込んだ後、締付ナット４４を前記締付雄ネジボルト４２にスパナまたはレンチで螺合させて角型電磁チャック２のフランジ２２上方よりフランジ２を押圧することにより角型電磁チャック２をワ−クテ−ブル４上に設置させる。
【００１３】
ワ−クテ−ブル４上に複数並列設置された角型電磁チャック２，２，２は、その短矩側がワ−クテ−ブル４の左右方向に向けてワ−クテ−ブル上に並列固定されている。言い換えれば、Ｕ字状の真鍮製セパレ−タ２６を介して異なる磁極２４，２５を角型電磁チャックの短矩側に並列させた面板２２は、異なった磁極２７，２８がワ−クテ−ブル４の左右方向に対し、直角方向に並列された構造を採る。それゆえ、角型電磁チャック２の出っ張り（フランジ）２２はワ−クテ−ブル４の前後方向（Ｚ軸方向）に位置するので、角型電磁チャック２，２間の隙間は無いか、あっても１〜２ｍｍと微小である。
【００１４】
角型電磁チャックは、例えばカネテック株式会社より手にいれることができる。
【産業上の利用可能性】
【００１５】
本発明の角型電磁チャックを複数ワ−クテ−ブル上へ並列設置する方法は、角型電磁チャックの異なった磁極を間断なく並列してワ−クテ−ブル上に設置することができるので、ワ−クテ−ブルが高速反転しても、ワ−クが並列設置された角型電磁チャックの面板上で位置ずれすることはないし、放り出されることもない。
【図面の簡単な説明】
【００１６】
【図１】ワ−クテ−ブルおよび固定金具の斜視図である。
【図２】角型電磁チャックを複数ワ−クテ−ブル上へ並列設置させた斜視図である。
【図３】研削装置の斜視図である。
【図４】角型電磁チャックの斜視図である。
【符号の説明】
【００１７】
１      平面研削装置
２      角型電磁チャック
３      砥石車
４    ワ−クテ−ブル
３１  締付雄ネジボルト
４０  治具
４１  雌ネジ孔
４２  締付雄ネジボルト
４３  Ｌ字型固定プレ−ト
４４  締付ナット
【図１】
2006062029.tif 000003
【図２】
2006062029.tif 000004
【図３】
2006062029.tif 000005
【図４】
2006062029.tif 000006